(57)【要約】【課題】ハンドルの開閉操作をし易くしたバスチェアの提供。【解決手段】台座２０の前方両側に隆起して頂部を平坦面として形成される支持部２４に挿入孔部２４ｂを形成した。挿入孔部２４ｂには係止孔部２４ｂ２が形成されている。ハンドル４０の下面にはハンドル４０と回動自在に連結される接続部材５１を設けた。接続部材５１には、その下方に挿入孔部２４ｂに挿入可能に形成される挿入突部５１ｂを形成した。さらに接続部材５１には、外側に向けて解除押しボタン５２及び係止孔部２４ｂ２と係止される係止突部５３を設けた。係止突部５３は外側に向けて付勢され、解除押しボタン５２を押し込むようにすると係止突部５３の係止孔部２４ｂ２への係止が解除され、ハンドル４０を開くことができる。【選択図】    図７
2015136412.tif 000002
【特許請求の範囲】
【請求項１】
座面を有する台座と、
前記台座の前方両側に隆起して頂部を平坦面として形成される二箇所の支持部と、
各前記支持部の頂部平坦面から下方に向けて孔状に形成されるとともに、内側面に係止孔部が形成された挿入孔部と、
各前記支持部間を渡すハンドルと、
各前記支持部と対向する前記ハンドルの下面に設けられ、前記ハンドルと回動自在に連結される接続部材と、
各前記接続部材の下方に形成され、各前記挿入孔部に挿入可能に形成された挿入突部と、
各前記挿入突部に設けられ、各前記係止孔部が設けられる方向に付勢されることにより、各前記係止孔部と係止可能に形成された係止突部と、
各前記接続部材の外側面に設けられ、各前記係止突部の付勢力に抗して押圧操作することにより各前記係止突部と各前記係止孔部との係止を解除する解除押しボタンと、
を有することを特徴とするバスチェア。
【請求項２】
各前記係止孔部は各前記挿入孔部の外側の側面に設けられ、
各前記接続部材は、上端を回動自在に支持されるとともに、各前記解除押しボタンと各前記係止突部が一体に設けられた解除部材を有することを特徴とする請求項１記載のバスチェア。
【請求項３】
前記係止突部は、上面は平坦に形成され、下側は傾斜して形成されていることを特徴とする請求項１又は請求項２記載のバスチェア。
【請求項４】
各前記接続部材は各前記支持部の頂部平坦面と合わせられる平坦面を有し、
各前記接続部材と各前記支持部の外側表面は連続して形成されていることを特徴とする請求項１乃至請求項３の何れか記載のバスチェア。
【発明の詳細な説明】
【技術分野】
【０００１】
本発明は、幼児用のバスチェアに関し、さらに詳細には、幼児用のバスチェアの開閉可能なハンドルに関する。
【背景技術】
【０００２】
浴室で乳幼児の世話をする際に利用されるバスチェアが従来から提供されている。これらのバスチェアは、前方中央に隆起部を有する座面と、リクライニング機構を有する背もたれと、座面前方の左右方向に設けられたハンドルとが設けられている。これらのバスチェアのハンドル上面には、乳幼児の気を引くよう各種の玩具が設けられている。このハンドルと、座面に設けられた隆起部により、乳幼児の座面からのずれ落ちが防止されている。そして、乳幼児をバスチェアに座らせたり取り上げたりする際には、ハンドルを開いて座面上方の空間を空けて、乳幼児の取り扱いがし易いよう形成されている。
【０００３】
例えば、特許文献１に開示されるバスチェアは、座面の両側から隆起するハンドルの支持部の頂部が、側面視において上部が開口したコ字状に形成されている。そして、このコ字状の内側の向かい合う前後の面にそれぞれ軸穴が設けられている。この軸孔と、ハンドルの両端部近傍の下面に設けられた一対のストッパー軸とは係合可能に形成されている。このストッパー軸は、ストッパー軸の上方前後に設けられた二箇所の押しボタンにより出没される。そして、前後二箇所の押しボタンを同時に押すことにより、ストッパー軸が没入し、ハンドルと支持部との係合を解除することができる。そして、このストッパー軸が回転軸となって、ハンドルは回動自在に支持されている。よって、一方のストッパー軸の係合を解除すれば、他方のストッパー軸によりハンドルを回動して座面上方の空間を空けることができる。
【先行技術文献】
【特許文献】
【０００４】
【特許文献１】特許第４６５９１９８号公報
【発明の概要】
【発明が解決しようとする課題】
【０００５】
通常、バスチェアを使用する風呂場は狭い。そして、バスチェアの座面に乳幼児を座らせる場合には、乳幼児を片手で抱き抱えながらバスチェアのハンドルを開く操作することが多い。また、水濡れや石鹸等で、ハンドルを開く操作をする手が滑りやすいこともある。この点、特許文献１におけるバスチェアによると、ハンドルを開く際には、ハンドル下方に設けられた前後二箇所の押しボタンを同時に強く押し込むように操作しなければならない。このため、二箇所の押しボタンの同時操作が困難となることがあった。
【課題を解決するための手段】
【０００６】
本発明に係るバスチェアは、座面を有する台座と、前記台座の前方両側に隆起して頂部を平坦面として形成される二箇所の支持部と、各前記支持部の頂部平坦面から下方に向けて孔状に形成されるとともに、内側面に係止孔部が形成された挿入孔部と、各前記支持部間を渡すハンドルと、各前記支持部と対向する前記ハンドルの下面に設けられ、前記ハンドルと回動自在に連結される接続部材と、各前記接続部材の下方に形成され、各前記挿入孔部に挿入可能に形成された挿入突部と、各前記挿入突部に設けられ、各前記係止孔部が設けられる方向に付勢されることにより、各前記係止孔部と係止可能に形成された係止突部と、各前記接続部材の外側面に設けられ、各前記係止突部の付勢力に抗して押圧操作することにより各前記係止突部と各前記係止孔部との係止を解除する解除押しボタンと、を有するようにした。
【０００７】
また、各前記係止孔部は各前記挿入孔部の外側の側面に設けられ、各前記接続部材は、上端を回動自在に支持されるとともに、各前記解除押しボタンと各前記係止突部が一体に設けられた解除部材を有するものである。
【０００８】
また、前記係止突部は、上面は平坦に形成され、下側は傾斜するよう形成されるようにした。
【０００９】
また、各前記接続部材は各前記支持部の頂部平坦面と合わせられる平坦面を有し、各前記接続部材と各前記支持部の外側表面は連続して形成されるようにした。
【発明の効果】
【００１０】
本発明に係るバスチェアは、ハンドルに接続部材を設けて、この接続部材と台座とを着脱自在に接続した。そして、接続部材と台座の着脱は、接続部材の外側の面に設けた解除押しボタンにより行うようにした。このように、接続部材の外側面に解除押しボタンを設けたので、簡単な操作で迅速に、かつ確実にハンドルを開く操作をすることができる。さらに、ハンドルの両端にこの解除押しボタンを設けたので、左右のどちら側からでもハンドルを開くことができるので、設置スペースの限られた浴室での使用に適している。またさらに、ハンドルを取り付ける際に挿入突部が挿入される挿入孔部が設けられる支持部の頂部を平坦面として形成した。よって、ハンドルを取り付ける際に、この挿入孔部が視認し易くなり、ハンドルの取り付け操作を容易とすることができる。
【００１１】
さらに、係止突部と解除押しボタンを一体にした解除部材を、上端回動自在に支持するように接続部材に設けた。これにより、簡単な構造で接続部材を構成することができるので、製造上のコストが低減されるとともに、耐久性も向上させることができる。
【００１２】
さらに、係止突部の上面を平坦に形成し、下側を傾斜して形成した。これにより、接続部材の挿入突部を挿入孔部に押し込むだけの簡単な操作でハンドルを台座に取り付けることができる。
【００１３】
さらに、接続部材が支持部頂部の平坦面と合わさる面を平坦面とし、接続部材と支持部の外表面を連続して形成した。これにより、凹凸のない外表面を形成できるとともに、意匠性の高いバスチェアを提供することができる。
【図面の簡単な説明】
【００１４】
【図１】本発明に係るバスチェアの前方斜視図である。
【図２】本発明に係るバスチェアの後方斜視図である。
【図３】本発明に係るバスチェアのハンドルを開いた状態を示す前方斜視図である。
【図４】本発明に係るバスチェアのリクライニングの様子を示す側面図で、（ａ）が上段、（ｂ）が中段、（ｃ）が下段に設定された状態を示す。
【図５】本発明に係るバスチェアの収納時の状態を示す側面図である。
【図６】本発明に係るバスチェアを縦置きで収納した状態を示す側面図である。
【図７】本発明に係るバスチェアのハンドル解除・支持機構の要部分解斜視図である。
【発明を実施するための形態】
【００１５】
本発明の実施形態を図１〜図７に基づいて説明する。
図１は本発明に係るバスチェア用ハンドルを備えたバスチェア１０の左側前方斜視図である。なお、以下の説明においては、バスチェア１０のハンドル４０側を前、背もたれ７０側を後とする。また、バスチェア１０に座った状態における左手側を左、右手側を右とし、バスチェア１０の台座２０における座面２１側を上、反対側を下とする。
【００１６】
バスチェア１０は、座面２１が上面に形成される台座２０と、台座２０と回動自在に連結される背もたれ７０と、台座２０の前方に、左右方向に渡って設けられるハンドル４０と、が設けられている。座面２１の略中央部分には、複数の穴２７が設けられている。この複数の穴２７により、入浴時の座面２１上の水溜りを防止することができる。そして、座面２１の前方中央部には、山形状に隆起する隆起部２３が形成されている。座面２１の前方左右の両端部には、上面視において前後方向に長くして隆起する支持部２４が形成されている。
【００１７】
一方、座面２１の前方上方には、支持部２４を渡すようにしてハンドル４０が設けられている。ハンドル４０におけるハンドル本体部４１は、左右横長であって、前方側が凸となる緩やかな凸湾曲状に形成されている。ハンドル本体部４１の左右両側には、ハンドル本体部４１と連続して後方に向けて突出する後方突出部４２が形成されている。よって、座面２１に座った乳幼児は、ハンドル本体部４１及び後方突出部４２により、前方及び左右側方を囲われる。
【００１８】
ハンドル本体部４１の上面４３には、着座時に乳幼児が遊べるように、玩具４３ａ、４３ｂ、４３ｃが設けられている。玩具４３ａは多数のリングが支持棒により支持されるおはじき状の玩具である。玩具４３ｂは、上下方向に回転軸を有する回転台座が形成され、この回転台座上に人形等を固設することにより、回転軸回りに人形等を回転させることができる。玩具４３ｃは、略左右方向に回転軸を有する円筒状のドラムが形成され、ドラム上にキャラクター等の絵を設けて、ドラムを手で回転させて遊ぶことができる。
【００１９】
ハンドル４０の下面４４の中央部には、下方に向けて山形状に隆起する隆起部４５が形成されている。隆起部４５は、座面２１に形成された隆起部２３と対向して形成されている。乳幼児は、隆起部２３及び隆起部４５を跨ぐようにして座るので、隆起部２３及び隆起部４５により前方へのずれ落ちが防止される。
【００２０】
また、ハンドル４０は、ハンドル４０の下面に形成されたハンドル解除・支持機構５０により台座２０に着脱自在に取り付けられるとともに、左右方向に向けて回動自在に支持されている。二箇所の支持部２４と対向するハンドル本体部４１のそれぞれの下面には、ハンドル本体部４１の下面から下方に突出して軸受部４６が形成されている。軸受部４６は前方及び後方部分が下方に延設された二股状に形成される。そして、軸受部４６の二股状の中央凹部に、接続部材５１の中央上部部分が挿入されて接続部材５１は軸受部４６に対して回動自在に連結されている。接続部材５１の下部分は、支持部２４に着脱自在に取り付けられている。接続部材５１の外側側面には、解除押しボタン５２が突出して形成されている。接続部材５１を支持部２４から取り外す際には、この解除押しボタン５２を押し込むように操作する。
【００２１】
台座２０の後方には、背もたれ７０が設けられている。背もたれ７０は中央部から左右方向に渡って緩やかな凹湾曲状に形成され、乳幼児の背中を安定してもたれ掛ることができるようになっている。背もたれ７０の左右の下端は、二箇所に前後方向に開口部が形成される二股状の軸部７１が形成されている。一方、台座２０の後方には、側面視略円形にされて台座２０から突出する軸受部２５が形成されている。そして、二股状の軸部７１の二股状の間に、軸受部２５が挟み込まれている。軸部７１と軸受部２５の内部で軸部７１が軸受部２５に回動自在に支持されている。
【００２２】
図２は、バスチェア１０の右側後方斜視図である。背もたれ７０の背面にリクライニング機構８０が形成されている。背もたれ７０は、リクライニング機構８０により、三段階に傾斜角度を調節することができる。
【００２３】
台座２０の軸受部２５の後側には、階段状に段部８１が三箇所に形成されている。この段部８１は、リクライニング機構８０における背もたれ７０の三段階の角度調節に対応している。一番上の段部である上段８１ａは、背もたれ７０が最も起き上がっている状態に対応している。順次下方に向かうに従って、中段８１ｂ、下段８１ｃの段部が形成されている。
【００２４】
背もたれ７０の後面の上下方向中央からやや下方には、左右に渡って操作軸８２が回動自在に横架されている。操作軸８２の両端には、突き当て部材８３が操作軸８２に固定して設けられている。よって、操作軸８２と突き当て部材８３は一体的に回動する。突き当て部材８３には、操作軸８２の軸心と直交する方向に延在する突き当て部８３ａが形成されている。突き当て部８３ａの先端部分には平坦部８３ｂが形成されている。この平坦部８３ｂと段部８１とが当接することにより、背もたれ７０は支持されている。
【００２５】
一方、操作軸８２の中央部分にはレバー８４が設けられている。操作軸８２のレバー８４及び両端に設けられる突き当て部材８３付近以外の部分は、カバー８５により覆われている。操作軸８２は、カバー８５内に設けられる弾性部材により、レバー８４が押し下げられる方向（換言すれば、右側面視反時計回り）に付勢されている。さらに、操作軸８２は、カバー８５と背もたれ７０の背面とで形成される図示しない軸受部によって回動自在に支持されている。よって、レバー８４を操作軸８２の付勢力に抗して引き上げることにより、突き当て部材８３が後方に向けて回動し、突き当て部材８３と段部８１の当接が解除され、背もたれ７０のリクライニング調節を行うことができる。
【００２６】
また、背もたれ７０の後面上端部には、上端カバー７２が設けられている。上端カバー７２の表面には、二か所にフック７６が設けられている。フック７６は板状の部材を折り曲げるようにして形成され、板状の部材の自由端側同士が閉じられる方向に付勢するよう形成されている。そして、フック７６は、自由端側を上方に向けて設けられている。このフック７６の使用方法は、二か所のフック７６の自由端側から図示しないタオルの一端を挟み込み、他端を背もたれ７０の上端から座面２１の前端近傍に渡すようにしてタオルを載置する。すると、背もたれ７０と座面２１がタオルで覆われるので、入浴時に裸でバスチェア１０に座る乳幼児は、背もたれ７０や座面２１からの冷たい感触を感じることがないとともに、このタオルにより前方へのずれが防止される。なお、フック７６の後方側の自由端は、タオルが挿入しやすいように開口方向に傾斜している。さらにまた、台座２０の後部中央には左右方向の長孔が貫通され、取手２６として形成されている。
【００２７】
次に、図３に基づいて、バスチェア１０におけるハンドル４０の開閉操作について説明する。図３はハンドル４０が開いた状態を示す左側前方斜視図である。このようにハンドル４０を開くには、二か所あるうちの一方（本実施形態においては左側）の解除押しボタン５２を押し込むようにする。すると、接続部材５１は、支持部２４から取り外せる状態となる。その後、ハンドル４０を上方に持ち上げれば、回動自在に支持される他方の軸受部４６によりハンドル４０を開くことができ、座面２１の上方の空間を空けることができる。このハンドル４０の開閉操作は左右の接続部材５１のどちら側からでも行うことができ、ハンドルを台座の右方向に開くことも左方向に開くこともできる。また、左右二箇所の解除押しボタン５２を同時に押し込むようにすれば、ハンドル４０を台座２０から取り外すことができる。
【００２８】
次に、図４に基づいて、バスチェア１０における背もたれ７０のリクライニング操作について説明する。リクライニング操作は、背もたれ７０の後面に設けられるレバー８４を引き上げて突き当て部材８３を回動させて、突き当て部材８３が当接する段部８１を何れの段部８１とするかを操作する。図４（ａ）は、突き当て部材８３が上段８１ａに当接している場合であって、背もたれ７０が最も起き上がっている状態を示す。設置面からの傾斜角度は６５度乃至７５度とする。図４（ｂ）は、突き当て部材８３と中段８１ｂが当接している状態を示す。設置面からの傾斜角度は４０度乃至５０度とする。図４（ｃ）は、突き当て部材８３と下段８１ｃが当接している状態を示す。設置面からの傾斜角度は１０度乃至１５度とする。このようにして、バスチェア１０は、背もたれ７０の傾斜角度を三段階に調節することができる。
【００２９】
次に、図５に基づいて、バスチェア１０の収納状態について説明する。バスチェア１０を収納する場合は、背もたれ７０の後面に設けられるレバー８４を引き上げたまま背もたれ７０を前方に倒すことができる。図５に示すように、背もたれ７０とハンドル４０が軽く当接するまで背もたれ７０を倒せば、収納しやすいようバスチェア１０をコンパクトにすることができる。
【００３０】
または、図６に示す通り、バスチェア１０は縦置きでも収納することができる。すなわち、バスチェア１０は、左右二箇所の解除押しボタン５２を同時に押し込むようにしてハンドル４０を台座２０から取り外せば、背もたれ７０の前面上端部分が隆起部２３と軽く当接するまで背もたれ７０を前方に倒すことができる。さらに背もたれ７０と隆起部２３とが軽く当接している状態でハンドル４０を再度台座２０に取り付ければ、背もたれ７０がハンドル４０により後方への回動が規制された状態のまま収納することができる。これにより、不意に背もたれ７０が回動することが防止できる。そして、ハンドル４０、背もたれ７０及び台座２０の前端部分を下にして、取手２６が上側になるようにバスチェア１０を置くことができる。このようにすれば、狭い風呂場でもコンパクトに収納することができる。また、取手２６を把持しやすくなり、バスチェア１０の持ち運びが容易となる。
【００３１】
次に、図７に基づいて、ハンドル解除・支持機構５０について詳細に説明する。図７はハンドル４０を台座２０から取り外し、ハンドル解除・支持機構５０のうち右側の接続部材５１について分解した様子を示している。
【００３２】
先ずは、図７のうち、組み立てられた状態の左側の接続部材５１に基づいて説明する。接続部材５１は、全体を側面視略十字形状に形成されている。接続部材５１の上下方向略中間位置の前後に渡る膨出部５１ａは、下面を平坦に形成されている。膨出部５１ａの下面からは、下方に向けて挿入突部５１ｂが形成されている。接続部材５１の外側表面には、外側方向に向けて解除押しボタン５２が突出している。そして解除押しボタン５２の下方の挿入突部５１ｂの外側面上には、同様に外側方向に向けて係止突部５３が突出している。
【００３３】
次に、図７のうち、分解斜視図とされる右側の接続部材５１に基づいて説明する。接続部材５１の本体は、内側本体５１ｃと外側本体５１ｄとして、バスチェア１０の内側と外側に分割して形成されている。接続部材５１の上方部分には、ハンドル支持軸部材５４が設けられ、内側本体５１ｃ上部の半円切欠５１ｃ１と外側本体５１ｄ上部の半円切欠５１ｄ１とで形成される孔部により挟持して固定される。なお、ハンドル支持軸部材５４には、フランジ部５４ａが形成され、接続部材５１からの脱落が防止されている。
【００３４】
一方、前述の解除押しボタン５２と係止突部５３は、裏面側（換言すれば内側）を解除部材５５により連結されている。すなわち、解除押しボタン５２と係止突部５３は、解除部材５５として一体的に形成されている。解除部材５５は、側面視略短冊状に形成されている。解除部材５５の上端部には、軸部５５ａが形成されている。この軸部５５ａは、外側本体５１ｄの軸受５１ｄ２により回動自在に保持されている。また、解除押しボタン５２の裏面側（換言すれば内側）は、凹部５５ｂが形成されている。そして、外側本体５１ｄと対向する内側本体５１ｃの面から外側方向に向けて、凹部５５ｂと対向する位置にピン５１ｃ２が立設している。ピン５１ｃ２の外周にはコイルばね５６が圧縮状態で巻回して設けられている。コイルばね５６の一端はピン５１ｃ２の基端部の内側本体５１ｃの外面側に当接し、コイルばね５６の他端は解除押しボタン５２の裏面側の凹部と当接している。よって、解除部材５５は、外側方向へ向けて付勢される。
【００３５】
一方、台座２０の支持部２４の頂部は、頂部平坦面２４ａとして、接続部材５１の膨出部５１ａの下面に合わせた平坦面が形成されている。そして、頂部平坦面２４ａから下方に向けて、挿入孔部２４ｂが設けられている。挿入孔部２４ｂは、上面視すると前後方向に長い長方形であり、底部２４ｂ１が形成されている。挿入孔部２４ｂ内壁面のうちの外側壁面には、係止突部５３が係止する係止孔部２４ｂ２が開けられている。挿入孔部２４ｂに、前述の接続部材５１の挿入突部５１ｂが挿入され、膨出部５１ａの下面と頂部平坦面２４ａとが合わされる。これと同時に、係止突部５３は係止孔部２４ｂ２に係止し、接続部材５１の上方への移動が規制されることとなる。
【００３６】
係止突部５３は、下側が傾斜して形成されているので、挿入突部５１ｂを挿入孔部２４ｂに挿入する際には、係止突部５３は外側方向への付勢力に抗して挿入孔部２４ｂの外側壁面により押圧される。そして、係止突部５３が係止孔部２４ｂ２に到達すると、係止突部５３は外側方向に付勢されているので、係止突部５３は係止孔部２４ｂ２に入り込む。係止突部５３は、上面を平坦に形成されているので、係止突部５３が係止孔部２４ｂ２に入り込むと、係止突部５３の上面と係止孔部２４ｂ２の縁部が当接可能な状態となり、係止されることとなる。
【００３７】
一方、ハンドル４０の軸受部４６は、二股状の間の向かい合う面に孔部が形成されている。孔部にハンドル支持軸部材５４の両端部がそれぞれ嵌り込み、ハンドル４０はハンドル支持軸部材５４回りに回動自在に支持されることとなる。
【００３８】
なお、接続部材５１が台座２０に取り付けられている状態においては、接続部材５１と台座２０の支持部２４の外表面は、凹凸のない連続した外表面として形成されている。
【００３９】
以上のように本発明に係るハンドル解除・支持機構５０では、接続部材５１の係止突部５３と挿入孔部２４ｂの係止孔部２４ｂ２との係止を、左右それぞれの接続部材５１の外側面に設けた一つの解除押しボタン５２により解除できるようにした。よって、前後方向に押しボタンを二箇所に配置する場合に比べて、ハンドルを開閉するための接続部材５１の解除操作が容易となる。そして、左右両側の接続部材５１それぞれがハンドル４０を回動自在に支持しているので、左右どちら側からでもハンドル４０を開くことができ、設置スペースの限られる浴室においても使い勝手が良いものとなっている。
【００４０】
さらに、支持部２４の上面が頂部平坦面２４ａとして形成されるので、ハンドル４０を閉じる際に、挿入突部５１ｂが挿入される挿入孔部２４ｂを視認しやすい。また、接続部材５１と支持部２４との分割線が側面視において直線的に形成され、また接続部材５１と支持部２４の外表面も凹凸無く連続して形成されるので、意匠性の高いバスチェアとすることができる。また、接続部材５１は、解除押しボタン５２と係止突部５３とが一体として解除部材５５として形成され、この解除部材５５の上端が回動自在に支持されている等、構造が簡単に構成されるので、製造上のコストも低減され、耐久性もよい。
【００４１】
以上、本発明の実施形態を説明したが、本発明はこれに限定されるものではなく、本発明の範囲内において適宜変更を加えることが可能である。例えば、挿入孔部２４ｂを上面視長方形に形成したが、正方形や楕円形等としてもよい。また、接続部材５１と軸受部４６との接続は、凹凸を逆にして、接続部材５１の上部を二股状に形成してハンドル４０を回動自在に支持するようにしてもよい。
【符号の説明】
【００４２】
１０  バスチェア
２０  台座
２１  座面                        ２３  隆起部
２４  支持部                      ２４ａ  頂部平坦面
２４ｂ  挿入孔部                  ２４ｂ１  底部
２４ｂ２  係止孔部                ２５  軸受部
２６  取手                        ２７  穴
４０  ハンドル
４１  ハンドル本体部              ４２  後方突出部
４３  上面                        ４３ａ  玩具
４３ｂ  玩具                      ４３ｃ  玩具
４４  下面                        ４５  隆起部
４６  軸受部
５０  ハンドル解除・支持機構
５１  接続部材                    ５１ａ  膨出部
５１ｂ  挿入突部                  ５１ｃ  内側本体
５１ｃ１  半円切欠                ５１ｃ２  ピン
５１ｄ  外側本体                  ５１ｄ１  半円切欠
５１ｄ２  軸受                    ５２  解除押しボタン
５３  係止突部                    ５４  ハンドル支持軸部材
５４ａ  フランジ部                ５５  解除部材
５５ａ  軸部                      ５５ｂ  凹部
５６  コイルばね
７０  背もたれ
７１  軸部                        ７２  上端カバー
７６  フック
８０  リクライニング機構          ８１  段部
８１ａ  上段                      ８１ｂ  中段
８１ｃ  下段                      ８２  リクライニング軸
８３  突き当て部材                ８３ａ  突き当て部
８３ｂ  平坦部                    ８４  レバー
８５  カバー
【図１】
2015136412.tif 000003
【図２】
2015136412.tif 000004
【図３】
2015136412.tif 000005
【図４】
2015136412.tif 000006
【図５】
2015136412.tif 000007
【図６】
2015136412.tif 000008
【図７】
2015136412.tif 000009